(57)【特許請求の範囲】
【請求項１】
アドレス情報を含むウォブルグルーブを有し、時間的に離散的に記録される所定データ量の記録単位の複数単位から構成される圧縮率の異なる複数のオーディオデータファイルが記録されたデータ領域であって、該データ領域内の上記所定データ量の記録単位を複数セクタで分割した各セクタ内に上記オーディオデータファイルの圧縮率情報が記録されたデータ領域と、
上記複数のオーディオデータファイルの番号に各々対応するインデックス値情報と上記インデックス値情報により示される各オーディオデータファイルを構成する記録単位の記録位置を示すアドレス情報と上記インデックス値情報により示されるオーディオデータファイルの各々に対応する圧縮率情報が記録された目録管理領域とを有する
ことを特徴とするディスク状記録媒体。
【請求項２】
アドレス情報を含むウォブルグルーブが設けられオーディオデータファイルが記録可能なデータ領域と、目録管理領域とを有するディスク状記録媒体にデータを記録するデータ記録方法であって、
上記データ領域に、圧縮率の異なる複数のオーディオデータファイルを所定データ量の記録単位毎に時間的に離散的に記録すると共に、該データ領域内の上記所定データ量の記録単位を複数セクタで分割した各セクタ内に上記オーディオデータファイルの圧縮率情報を記録し、
上記目録管理領域に、上記複数のオーディオデータファイルの番号に各々対応するインデックス値情報と上記インデックス値情報により示される各オーディオデータファイルを構成する記録単位の記録位置を示すアドレス情報と上記インデックス値情報により示されるオーディオデータファイルの各々に対応する圧縮率情報を記録する
ことを特徴とするデータ記録方法。
【発明の詳細な説明】
【０００１】
【発明の属する技術分野】
本発明は、複数のデータファイルが記録されるディスク状記録媒体及びデータ記録方法に関する。
【０００２】
【従来の技術】
本件出願人は、先に、入力されたディジタルオーディオ信号をビット圧縮し、所定のデータ量を記録単位としてバースト的に記録するような技術を、例えば特願平２−１６９９７７号、特願平２−２２１３６４号、特願平２−２２１３６５号、特願平２−２２２８２１号〜特願平２−２２２８２３号の各明細書及び図面等において提案している。
【０００３】
この技術は、記録媒体として光磁気ディスク等を用い、例えばいわゆるＣＤ−Ｉ（ＣＤ−インタラクティブ）やＣＤ−ＲＯＭ  ＸＡのオーディオデータフォーマットに規定されているＡＤ（適応差分）ＰＣＭオーディオデータ、あるいは他のフォーマットに従ってビット圧縮符号化されたディジタルオーディオデータを記録再生するものである。このビット圧縮されたディジタルオーディオデータは所定データ量を記録単位として、例えば３２セクタ分毎に、隣接セクタのデータとの間のインターリーブを考慮して繋ぎ用のセクタ（リンキングセクタ）を前後に付加し、バースト的（間歇的）にセクタ連続で記録するようにしている。
【０００４】
ここで、例えばいわゆる標準的なＣＤ（コンパクトディスク）のフォーマット（ＣＤ−ＤＡフォーマット）のデータ、あるいはアナログオーディオ信号を単純に直線量子化して得られるいわゆるストレートＰＣＭオーディオデータを、略々１／４にビット圧縮して記録再生する場合を考察する。この略々１／４にビット圧縮されて記録されたディスクの再生時間（プレイタイム）は、圧縮前の上記ストレートＰＣＭデータ、例えば上記ＣＤ−ＤＡフォーマットのデータを記録する場合の略々４倍となる。これは、より小型のディスクで標準１２ｃｍのＣＤと同じ程度の記録再生時間が得られることから、装置の小型化が図れることになる。また、記録再生の（瞬時的な）ビットレートを上記標準的なＣＤ−ＤＡフォーマットと同じにしておくことにより、実際に記録や再生を行うのに要する時間もそれぞれ略々１／４で済むことから、残りの略々３／４の時間をいわゆるリトライ等に割り当てることができる。具体的に例えばデータの記録時においては、記録が正常に行えたか否かの確認（ベリファイ）動作や、正常に記録が行えなかった場合の再書き込み動作等であり、また再生時においては、再生データの誤り率が高い場合の再読み取り動作等である。これにより、例えば外乱によって機構部が振動してフォーカスやトラッキング等が外れるような悪条件下でも、記録再生がより確実に行えることになり、携帯用小型装置への適用が可能となる。
【０００５】
このような略々１／４にビット圧縮されたディジタルオーディオデータを記録再生するためには、圧縮データの記録及び／又は再生用のバッファメモリが必要とされる。このメモリは、記録時には、圧縮データが一定レートで連続的に書き込まれ、略々４倍の速度でバースト的あるいは間歇的に読み出される。このバースト読み出しの際の１回のデータ量は、上記記録単位となる所定データ量、例えば３２セクタ分であり、上述したように前後にリンキング用の数セクタが付加され、ディスク上に空間的に連続して（先の記録部分に続けて）記録される。また再生時には、ディスク上からバースト的あるいは間歇的に上記略々４倍の速度で上記所定記録単位のデータ量（例えば３２セクタ＋リンキング用の数セクタ）のデータを再生し、前後の上記リンキング用のセクタを除去して上記バッファ用メモリに書き込む。このメモリから上記一定レートで連続的に圧縮データを読み出す。
【０００６】
【発明が解決しようとする課題】
ところで、上記記録データの圧縮率は、一種類に制限されることはなく、いくつかの種類を用意しておき、データの内容や用途等に応じて圧縮率を切り換えることが考えられる。この場合１つの記録媒体、例えば１枚のディスク内に、圧縮率の異なる複数のデータファイル（例えば曲）が記録されることがある。
【０００７】
このように、例えば１枚のディスク内に圧縮率の異なる複数の曲が混在して記録されている場合には、例えばデータ量の情報のみからは曲の再生時間が得られず、特にトータルの（全曲の）再生時間を得ることが困難である。
【０００８】
本発明は、このような実情に鑑みてなされたものであり、ディスク等の記録媒体に圧縮率の異なる複数のデータファイル（曲等）が混在していても、トータル時間（全曲の再生時間）を容易に得ることができるようなディスク状記録媒体及びデータ記録方法の提供を目的とする。
【０００９】
【課題を解決するための手段】
本発明に係るディスク状記録媒体は、アドレス情報を含むウォブルグルーブを有し、時間的に離散的に記録される所定データ量の記録単位の複数単位から構成される圧縮率の異なる複数のオーディオデータファイルが記録されたデータ領域であって、該データ領域内の上記所定データ量の記録単位を複数セクタで分割した各セクタ内に上記オーディオデータファイルの圧縮率情報が記録されたデータ領域と、上記複数のオーディオデータファイルの番号に各々対応するインデックス値情報と上記インデックス値情報により示される各オーディオデータファイルを構成する記録単位の記録位置を示すアドレス情報と上記インデックス値情報により示されるオーディオデータファイルの各々に対応する圧縮率情報が記録された目録管理領域とを有することにより、上述の課題を解決する。
また、本発明に係るデータ記録方法は、アドレス情報を含むウォブルグルーブが設けられオーディオデータファイルが記録可能なデータ領域と、目録管理領域とを有するディスク状記録媒体にデータを記録するデータ記録方法であって、上記データ領域に、圧縮率の異なる複数のオーディオデータファイルを所定データ量の記録単位毎に時間的に離散的に記録すると共に、該データ領域内の上記所定データ量の記録単位を複数セクタで分割した各セクタ内に上記オーディオデータファイルの圧縮率情報を記録し、上記目録管理領域に、上記複数のオーディオデータファイルの番号に各々対応するインデックス値情報と上記インデックス値情報により示される各オーディオデータファイルを構成する記録単位の記録位置を示すアドレス情報と上記インデックス値情報により示されるオーディオデータファイルの各々に対応する圧縮率情報を記録することにより、上述の課題を解決する。
【００１０】
ここで、具体例として、上記記録媒体に光ディスクを、また１つのデータファイルにディジタルオーディオ信号の１曲分を対応させるとき、１枚の光ディスク内には圧縮率の異なる曲が混在して記録されていると共に、各曲毎にアドレスとしての時間情報と圧縮率情報とが記録されている。この場合、アドレスとしての時間情報は、曲の開始時間（スタートタイム）や終了時間（ストップタイム）を示す情報であり、終了時間から開始時間を減算することで当該曲のデータ量としての再生時間を求めることができる。各曲の実際の再生時間（演奏時間）は、各曲のデータ量としての上記再生時間に圧縮率を乗算して求めることができ、各曲の演奏時間の総和をとることで、光ディスク内の全曲の演奏時間を求めることができる。この場合、上記目録管理領域としては、ＴＯＣ（テーブルオヴコンテンツ）領域、ディレクトリ領域、リードイン領域、あるいはユーザ用ＴＯＣ（いわゆるＵ−ＴＯＣ）領域等が挙げられる。
【００１１】
【作用】
記録媒体の目録管理領域に記録された各データファイルについてのトラック番号情報、記録位置を示すアドレス情報、及び圧縮率情報に基づいて記録媒体内の全データファイルの総時間情報、特に伸長処理して得られたデータについてのトータルの再生時間情報を算出することができる。
【００１２】
【実施例】
先ず図１は、本発明に係る記録媒体の一例としての光ディスクが用いられる光ディスク記録再生装置の概略構成を示すブロック回路図である。
【００１３】
この図１において、光ディスク２等の記録媒体には、いくつかの異なるビット圧縮率で圧縮された複数曲（複数データファイル）分のディジタルオーディオ信号が記録されている。この記録信号を光学ヘッド３により所定記録単位（例えば３２セクタ＋数セクタ）毎にバースト的に読み取り、デスクランブルや誤り訂正復号化のためのデコーダ２１を介してビット圧縮オーディオデータを得る。この圧縮データをＲＡＭ（ランダムアクセスメモリ）等のメモリ２２に書き込み、このメモリ２２から一定のデータレートで読み出し、記録側でのビット圧縮を復元（伸長）するためのデコーダ２３を介して、オーディオ信号の再生を行う。
【００１４】
ここで、光ディスク２上には、上述したビット圧縮率の異なる複数曲分のディジタルオーディオデータと共に、各曲（データファイル）の時間情報及び圧縮率情報が例えばＴＯＣ（テーブルオヴコンテンツ）領域あるいはディレクトリ領域等に記録されている。ここで、この場合の時間情報とは、標準的なフォーマット（例えばいわゆるコンパクトディスクの標準オーディオフォーマットであるＣＤ−ＤＡフォーマット）で記録再生する際の曲の開始時間や終了時間を表すアドレス情報であり、この終了時間から開始時間を引いた再生時間は、光ディスク２上に記録されたデータ量を標準再生時間で表したものとある。また上記圧縮率情報とは、（圧縮前のデータ量）／（圧縮後のデータ量）の比率を表す情報であり、例えば標準的なストレートＰＣＭデータを１／４のデータ量に圧縮する場合の圧縮率を４としている。この圧縮されているデータは上記標準再生時間で表されるデータ量に上記圧縮率を掛けた時間だけ実際に再生（曲の演奏、いわゆるプレイバック）が行われることになる。
【００１５】
ＣＰＵ（中央処理プロセッサ）等を有して成るシステムコントローラ７は、光ディスク２の上記ＴＯＣ領域等に記録された上記時間情報と圧縮率情報とを読み取り、上述したように各曲（各データファイル）毎の実際の再生時間（演奏時間）を求めてこれらを加算することにより、光ディスク２内の全曲（全ファイル）の実質的な総再生時間（総演奏時間、トータルプレイングタイム）を算出する。この算出された総再生時間は、キー入力操作部８でのキー操作（例えば時間表示キーの操作）等に応じて表示部９に表示されるようになっている。
【００１６】
なお、光ディスク２の上記ＴＯＣ領域等には、上記標準再生時間情報そのものや、各曲毎にそれぞれの圧縮率を乗算した実質的な再生時間（演奏時間）の情報等を記録しておくようにしてもよい。
【００１７】
以下、図１に示す具体的な構成について詳細に説明する。
スピンドルモータ１により回転駆動される光ディスク２としては、記録が可能な例えば光磁気ディスク等が用いられる。ただし、再生専用の場合には、通常のＣＤ（コンパクトディスク）と同様なアルミニウム反射膜タイプの光ディスクを用いることもできる。この光ディスク（例えば光磁気ディスク）２に対して記録及び／又は再生を行うための光学ヘッド３は、例えば、レーザダイオード等のレーザ光源、コリメータレンズ、対物レンズ、偏光ビームスプリッタ、シリンドリカルレンズ等の光学部品及び所定パターンの受光部を有するフォトディテクタ等から構成されている。この光学ヘッド３は、光磁気ディスク２を介して上記磁気ヘッド４と対向する位置に設けられている。光磁気ディスク２にデータを記録するときには、後述する記録系のヘッド駆動回路１６により磁気ヘッド４を駆動して記録データに応じた変調磁界を印加すると共に、光学ヘッド３により光磁気ディスク２の目的トラックにレーザ光を照射することによって、磁界変調方式により熱磁気記録を行う。またこの光学ヘッド３は、目的トラックに照射したレーザ光の反射光を検出し、例えばいわゆる非点収差法によりフォーカスエラーを検出し、例えばいわゆるプッシュプル法によりトラッキングエラーを検出する。光磁気ディスク２からデータを再生するとき、光学ヘッド３は上記フォーカスエラーやトラッキングエラーを検出すると同時に、レーザ光の目的トラックからの反射光の偏光角（カー回転角）の違いを検出して再生信号を生成する。
【００１８】
光学ヘッド３の出力は、ＲＦ回路５に供給される。このＲＦ回路５は、光学ヘッド３の出力から上記フォーカスエラー信号やトラッキングエラー信号を抽出してサーボ制御回路６に供給するとともに、再生信号を２値化して後述する再生系のデコーダ２１に供給する。
【００１９】
サーボ制御回路６は、例えばフォーカスサーボ制御回路やトラッキングサーボ制御回路、スピンドルモータサーボ制御回路、スレッドサーボ制御回路等から構成される。上記フォーカスサーボ制御回路は、上記フォーカスエラー信号がゼロになるように、光学ヘッド３の光学系のフォーカス制御を行う。また上記トラッキングサーボ制御回路は、上記トラッキングエラー信号がゼロになるように光学ヘッド３の光学系のトラッキング制御を行う。さらに上記スピンドルモータサーボ制御回路は、光磁気ディスク２を所定の回転速度（例えば一定線速度）で回転駆動するようにスピンドルモータ１を制御する。また、上記スレッドサーボ制御回路は、システムコントローラ７により指定される光磁気ディスク２の目的トラック位置に光学ヘッド３及び磁気ヘッド４を移動させる。このような各種制御動作を行うサーボ制御回路６は、該サーボ制御回路６により制御される各部の動作状態を示す情報をシステムコントローラ７に供給している。
【００２０】
システムコントローラ７にはキー入力操作部８や表示部９が接続されている。このシステムコントローラ７は、キー入力操作部８による操作入力情報により指定される動作モードで記録系及び再生系の制御を行う。またシステムコントローラ７は、光磁気ディスク２の記録トラックからヘッダタイムやサブコードのＱデータ等により再生されるセクタ単位のアドレス情報（時間情報）に基づいて、光学ヘッド３及び磁気ヘッド４がトレースしている上記記録トラック上の記録位置や再生位置を管理する。表示部９には、この記録位置又は再生位置の情報や、上記キー操作により選択された機能の情報等が必要に応じて表示される。ここで、表１は、光磁気ディスク２のように記録再生可能なディスク上のリードイン領域やＴＯＣ領域に、いわゆるサブコードのＱチャンネル信号として記録される内容（記録フォーマット）を示している。
【００２１】
【表１】
0003871554.tif 000002
【００２２】
この表１において、Ｐ／Ｒの項目のＰは、いわゆる機械的なピットとして書換え不可能に予め記録形成されたプリマスタ部分を示しており、Ｒは記録可能な部分を示している。本発明実施例に関係する上記時間情報や圧縮率情報は、ユーザ用ＴＯＣ（いわゆるＵ−ＴＯＣ）領域内の、インデックスがＮ＋１〜９９の部分に記録される。ここでＮはいわゆるＢＣＤ（２進化十進数）で００〜９８のいずれかの値をとるものである。このＵ−ＴＯＣ（ユーザ用ＴＯＣ）におけるいわゆる「ゼロ−バイト」内に、上記圧縮率情報を書き込むことが考えられ、その一具体例を表２に示す。
【００２３】
【表２】
0003871554.tif 000003
【００２４】
この表２において、いわゆる「ゼロ−バイト」のビット７（最上位ビット）は各曲毎のオーバーライト（書換え）のプロテクションを示すフラグとして用いられており、このビット７が“０”のときが書き込み禁止、“１”のときが書き込み許可と規定されている。このいわゆる「ゼロ−バイト」のビット０〜２（下位側の３ビット）を用いて上記圧縮率に関する情報を示す。すなわち、ビット２はサンプリング周波数ｆs を、ビット１はビット圧縮アルゴリズムを、ビット０はステレオ／モノラルをそれぞれ規定している。ビット７については、“０”のとき上記標準的なＣＤ−ＤＡフォーマットのサンプリング周波数である４４．１ｋHz（あるいはいわゆるＣＤ−ＩやＣＤ−ＲＯＭ／ＸＡ等のフォーマットの標準サンプリング周波数である３７．８ｋHz）とし、“１”のときその半分の周波数としている。このサンプリングデータは１６ビットで量子化されるものとし、ビット１の圧縮アルゴリズムは、“０”のときが１／４の約４ビットに圧縮、“１”のときが１／２の約８ビットに圧縮すると規定している。ビット０は“０”のときがステレオ、“１”のときがモノラルをそれぞれ示している。これらのビット２〜０の各値から、表３に示すような各場合の圧縮率が求められる。
【００２５】
【表３】
0003871554.tif 000004
【００２６】
この表３から明らかなように、例えばビット２＝“０”のサンプリング周波数が標準（４４．１ｋHz又は３７．８ｋHz）で、ビット１＝“１”の約８ビットに圧縮するアルゴリズムを用い、ビット０＝“０”のステレオのとき、圧縮率が最も小さく「２」となる。また逆に、ビット２＝“１”のサンプリング周波数が半分（２２.0５ｋHz又は１８．９ｋHz）で、ビット１＝“０”の約４ビットに圧縮するアルゴリズムを用い、ビット０＝“１”のモノラルのとき、圧縮率が最も大きく「１６」となる。各ビット値の他の組合せでは、圧縮率は「４」か「８」となる。
【００２７】
ここで、上記Ｕ−ＴＯＣ（ユーザ用ＴＯＣ）内の記録内容の一具体例を、表４に示す。
【００２８】
【表４】
0003871554.tif 000005
【００２９】
この表４は、上記光磁気ディスク２に４曲を記録した時点でのＵ−ＴＯＣの記録内容の具体例を示しており、時間情報としては開始時間（スタートタイム）及び終了時間（ストップタイム）が用いられている。インデックスがＢ２、Ｂ３に対応する時間情報から、標準再生時間で３分４３秒２８フレーム（ブロック）のアドレス位置まで記録が行われていることが分かる。この表４中のトラック、インデックス、開始時間及び終了時間の各情報は、上記表１にも示したように、サブコードのＱチャンネル信号として直接記録され、再生される。また圧縮率情報は、上記いわゆる「ゼロ−バイト」のビット０〜２の値に基づき上記表３に示すように求めることができる。ここで各曲毎の上記標準再生時間は、それぞれの曲の終了時間から開始時間を引き算することで求められるが、各曲毎の圧縮率として、１曲目で４、２曲目で８、３曲目で８、４曲目で４がそれぞれ選ばれていることから、これらの圧縮率をそれぞれ乗算した値が各曲毎の実際の再生時間（演奏時間、プレイングタイム）となる。このような演算を、上記システムコントローラ７で行い、さらに各曲毎の上記実際の再生時間の総和をとることで、全体の総再生時間（演奏時間）を得ることができる。表４の例では１５分５４秒２フレーム（ブロック）となっており、この数値が例えば上記表示部９に表示される。このような実際の再生時間（演奏時間）算出について、一般化したものを表５に示す。
【００３０】
【表５】
0003871554.tif 000006
【００３１】
この表５において、一つの曲の実際の再生時間Ｔp は、上記標準再生時間で表された終了時間Ｔe から開始時間Ｔs を減算したものに当該曲の圧縮率ｋを乗算することで、Ｔp ＝ｋ（Ｔe −Ｔs ）として求めることができる。
【００３２】
次にこのディスク記録再生装置の記録系について説明する。
【００３３】
入力端子１０からのアナログオーディオ入力信号ＡＩＮがローパスフィルタ１１を介してＡ／Ｄ変換器１２に供給されている。Ａ／Ｄ変換器１２は上記アナログオーディオ入力信号ＡＩＮを量子化し、得られたディジタルオーディオ信号は、例えばＡＤ（適応差分）ＰＣＭ等の高能率符号化処理のためのエンコーダ１３に供給される。また、外部からのディジタルオーディオ信号を、ディジタル入力インターフェース回路（図示せず）を介してエンコーダ１３に供給するようにしてもよい。このエンコーダ１３に入力されるディジタルオーディオＰＣＭ信号は、圧縮処理等の施されていないいわゆるストレートＰＣＭデータであり、具体例として、標準的なＣＤ（コンパクトディスク）のフォーマット（ＣＤ−ＤＡフォーマット）と同様に、サンプリング周波数が４４．１ｋHzで、量子化ビット数が１６ビットのＰＣＭデータとする。この入力されたオーディオＰＣＭデータは、エンコーダ１３により、例えば上述したようなサンプリング周波数、ビット圧縮アルゴリズム、及びステレオ／モノラルの組合せに応じて、１／２〜１／１６のビットレートとなるような高能率圧縮符号化処理が行われる。以下の説明では、略々１／４のビットレートに圧縮する（上述した圧縮率が４の場合）例を挙げているが、この他、１／２、１／８、１／１６等のビットレートへの圧縮の場合も基本的動作は同様である。
【００３４】
次にメモリ１４は、データの書き込み及び読み出しがシステムコントローラ７により制御され、エンコーダ１３から供給されるビット圧縮データを一時的に記憶しておき、必要に応じてディスク上に記録するためのバッファメモリとして用いられている。すなわち例えば上記圧縮率が４のデータ圧縮モードにおいては、標準的なＣＤ−ＤＡフォーマットのデータ転送速度（ビットレート）の略々１／４に低減された一定ビットレートの圧縮データが、メモリ１４に連続的に書き込まれる。この圧縮データを光磁気ディスク２に記録する際には、上記標準的なＣＤ−ＤＡフォーマットと同じディスク回転速度（線速度一定）の下に同じデータ転送速度でバースト的あるいは離散的に記録している。すなわち記録モードの際の実際に信号を記録している時間は、全体の略々１／４であり、残りの３／４の時間は記録を行っていない休止期間である。ただし、光磁気ディスク２上では、休止期間の直前に記録された領域に続けて次の記録が行われ、媒体表面上では連続した記録が行われるようにしている。これによって、例えば標準的なＣＤ−ＤＡフォーマットと同じ記録密度、記憶パターンの記録が行われることになる。
【００３５】
このため、メモリ１４からは上記標準的なＣＤ−ＤＡフォーマットのデータ転送速度に応じたビットレートでバースト的に上記圧縮データが読み出され、この読み出された圧縮データは、インターリーブ処理や誤り訂正符号化処理やＥＦＭ変調処理等を行うためのエンコーダ１５に供給される。ここで、メモリ１４からエンコーダ１５に供給されるデータ列において、所定の複数セクタ（例えば３２セクタ）から成る１クラスタ分を１回の記録で連続記録される単位としており、これがエンコード処理されると、該１クラスタ分のデータ量にクラスタ接続用の数セクタ分が付加されたデータ量となる。このクラスタ接続用セクタは、エンコーダ１５でのインターリーブ長より長く設定しており、インターリーブされても他のクラスタのデータに影響を与えないようにしている。
【００３６】
このクラスタ単位の記録の詳細については、図２を参照しながら後述する。
【００３７】
エンコーダ１５は、メモリ１４から上述したようにバースト的に供給される記録データについて、エラー訂正のための符号化処理（パリティ付加及びインターリーブ処理）やＥＦＭ符号化処理等を施す。また、同期パターンやいわゆるサブコーディング部分の付加も同時に行われ、上記Ｕ−ＴＯＣ（ユーザ用ＴＯＣ）領域内のサブコーディング部分のＱチャンネルに、上記表１〜表４等と共に説明したような時間情報や圧縮率情報が記録される。このエンコーダ１５による符号化処理の施された記録データが、磁気ヘッド駆動回路１６に供給される。この磁気ヘッド駆動回路１６は、磁気ヘッド４が接続されており、上記記録データに応じた変調磁界を光磁気ディスク２に印加するように磁気ヘッド４を駆動する。
【００３８】
また、システムコントローラ７は、メモリ１４に対する上述の如きメモリ制御を行うとともに、このメモリ制御によりメモリ１４からバースト的に読み出される上記記録データを光磁気ディスク２の記録トラックに連続的に記録するように記録位置の制御を行う。この記録位置の制御は、システムコントローラ７によりメモリ１４からバースト的に読み出される上記記録データの記録位置を管理して、光磁気ディスク２の記録トラック上の記録位置を指定する制御信号をサーボ制御回路６に供給することによって行われる。
【００３９】
次に、このディスク記録再生装置の再生系について説明する。
【００４０】
この再生系は、上述の記録系により光磁気ディスク２の記録トラック上に連続的に記録された記録データを再生するためのものであり、光学ヘッド３によって光磁気ディスク２の記録トラックをレーザ光でトレースすることにより、光磁気ディスク２から記録信号が読み取られる。ここで、光磁気ディスク２は、上記標準的なＣＤ−ＤＡフォーマットと同じ回転速度（線速度一定）で回転駆動されており、該ＣＤ−ＤＡフォーマットと同じデータ転送速度でバースト的（離散的）に記録信号が読み取られ、ＲＦアンプ回路５により２値化されてデコーダ２１に供給される。
【００４１】
デコーダ２１は、上述の記録系におけるエンコーダ１５に対応するものであって、ＲＦ回路５により２値化された再生出力について、デインターリーブ処理や誤り訂正のための復号化処理やＥＦＭ復調処理等の処理を行い、上記圧縮率が４の圧縮データを、例えば上記標準的なＣＤ−ＤＡフォーマットと同じデータ転送速度でバースト的に出力する。また、上記Ｕ−ＴＯＣ（ユーザ用ＴＯＣ）領域のサブコードのＱチャンネル信号に基づき、上記時間情報（開始時間、終了時間）が直接に、また上記いわゆる「ゼロ−バイト」のビット０〜２から上記圧縮率情報が求められる。このデコーダ２１により得られる再生データはメモリ２２に供給され、サブコード情報等はシステムコントローラ７に供給される。
【００４２】
メモリ２２は、データの書き込み及び読み出しがシステムコントローラ７により制御され、デコーダ２１から上記標準的なＣＤ−ＤＡフォーマットと同じデータ転送速度でバースト的に供給される再生データが書き込まれる。また、このメモリ２２は、上記バースト的に書き込まれた上記再生データが、一定のビットレート、すなわち上記標準的なＣＤ−ＤＡフォーマットの略々１／４のデータ転送速度で連続的に読み出される。
【００４３】
システムコントローラ７は、このようなメモリ２２に対する上記再生データの書込／読出のメモリ制御を行うと共に、このメモリ制御によりメモリ２２からバースト的に書き込まれる上記再生データを光磁気ディスク２の記録トラックから連続的に再生するように再生位置の制御を行う。この再生位置の制御は、システムコントローラ７によりメモリ２２からバースト的に読み出される上記再生データの再生位置を管理して、光磁気ディスク２の記録トラック上の再生位置を指定する制御信号をサーボ制御回路６に供給することによって行われる。
【００４４】
メモリ２２から上記標準の略々１／４の転送速度（ビットレート）で連続的に読み出された再生データとして得られる圧縮データは、デコーダ２３に供給される。このデコーダ２３は、上記記録系のエンコーダ１３に対応するもので、例えば上記１／４の圧縮データを例えば４倍にデータ伸張（ビット伸張）することで１６ビットのディジタルオーディオデータを再生する。このデコーダ２３からのディジタルオーディオデータは、Ｄ／Ａ変換器２４に供給される。
【００４５】
Ｄ／Ａ変換器２４は、デコーダ２３から供給されるディジタルオーディオデータをアナログ信号に変換し、ローパスフィルタ２５を介して出力端子２６からアナログオーディオ出力信号ＡＯＵＴ  を出力する。
【００４６】
ところで、このようなディスク記録再生装置に用いられる光磁気ディスク２は、ステレオオーディオ信号で６０分以上７４分程度までを記録可能な容量とすることが望ましく、例えば上記データ圧縮率として４を採用するとき、約１３０Ｍバイト程度が必要となる。また、携帯用あるいはポケットサイズ程度の記録及び／又は再生装置を構成するためには、ディスク外径は８ｃｍ、あるいはより小さな径のディスクを用いることが望ましい。さらに、トラックピッチ及び線速度については、ＣＤと同じトラックピッチ１．６μｍ、線速度１．２〜１．４ｍ／ｓとすることが望まれる。これらの条件を満足するディスクとしては、例えばディスク外径を６４mmとし、データ記録領域の外径を６１mm、データ記録領域の内径を３２mm、リードイン領域の内径を３０mm、センターホール径を１０mmとすればよい。このディスクを、縦横が７０mm×７４mmのディスクキャディに収納して市場に供給するようにすれば、ポケットサイズ程度の記録再生装置により該ディスクに対する記録再生が可能となる。なお上記圧縮率４のデータ圧縮モードで７２分〜７６分程度の記録再生を可能とするためのディスクのデータ記録領域の内径及び外径の寸法の範囲としては、内径を３２mmとするときの外径６０mm〜６２mmから、内径を５０mmとするときの外径７１mm〜７３mmまでの範囲で適当に設定すればよい。
【００４７】
次に、以上説明したようなディスク記録再生装置による基本的な記録再生動作について、さらに詳細に説明する。
【００４８】
先ず、記録データ（メモリ１４から読み出されたデータ）は、一定数（例えば３２個）のセクタ（あるいはブロック）毎にクラスタ化され、これらのクラスタの間にクラスタ接続用のいくつかのセクタが配された形態となっている。具体的には図２に示すように、クラスタＣは３２個のセクタ（ブロック）B0〜B31 から成っており、これらのクラスタＣの間にそれぞれ４個の接続用（リンキング用）セクタL1〜L4が配されて隣のクラスタと連結されている。ここで、１つのクラスタ、例えばｋ番目のクラスタＣｋ  を記録する場合には、このクラスタＣｋ  の３２個のセクタB0〜B31 のみならず、前方に３セクタ、後方に１セクタの接続用セクタ、すなわちクラスタＣｋ−１  側にラン−インブロック用の２個のセクタL2、L3及びサブデータ用の１個のセクタL4と、クラスタＣｋ＋１  側にラン−アウトブロック用の１個のセクタL1とを含めて、計３６セクタを単位として記録を行うようにしている。このとき、これらの３６セクタ分の記録データがメモリ１４からエンコーダ１５に送られ、このエンコーダ１５でインターリーブ処理が行われることにより、最大１０８フレーム（約１．１セクタに相当）の距離の並べ換えが行われるが、上記クラスタＣｋ  内のデータについては、上記リンキング用のセクタL1〜L4の範囲内に充分に収まっており、他のクラスタＣｋ−１  やＣｋ＋１  に影響を及ぼすことがない。なお、セクタL1〜L3には例えば０等のダミィデータが配され、セクタL4には補助的なサブデータが配されており、インターリーブ処理による本来のデータに対する悪影響を回避できる。ここで、メインデータ用のセクタB0〜B31 には、図３のＡに示すように、８ビットの２進数（２桁の１６進数）で 0000 0000（００Ｈ）〜 0001 1111（１ＦＨ）のセクタ番号がそれぞれ付され、リンキング部分のセクタL1には 0010 0000（２０Ｈ）、L2〜L4には 0011 1101（３ＤＨ）〜 0011 1111（３ＦＨ）のセクタ番号がそれぞれ付されている。また、上記クラスタとしては、リンキング用セクタを含めた例えば３６セクタを１クラスタとしてもよい。
【００４９】
このようなリンキング用セクタは、バースト的な記録やオーバーライト記録を容易化するために必要とされるものであるが、ディスク上に連続して全トラックを記録する場合、具体的には市販の再生専用ソフトディスクの作成時等においては不用であり、例えば図３のＢに示すように隣合うデータクラスタＣを直接的に（リンキング用セクタ無しで）接続するようにしてもよい。この場合は、データクラスタも記録用クラスタも等しく３２セクタとなる。
【００５０】
ここで、光磁気ディスク２上で実際に記録された物理的なセクタ当たり、あるいはクラスタ当たりのヘッドトレース時間を表６に示す。この表６は、上記図３のＢに対応して計算した値を示しており、上述のようにリンキング用セクタを付加する場合には各時間が僅かに長くなる。なお、圧縮率の定義も他にも各種考えられ、若干値も変わってくる。
【００５１】
【表６】
0003871554.tif 000007
【００５２】
このようなクラスタ単位の記録を行わせることにより、他のクラスタとの間でのインターリーブによる相互干渉を考慮する必要がなくなり、データ処理が大幅に簡略化される。また、フォーカス外れ、トラッキングずれ、その他の誤動作等により、記録時に記録データが正常に記録できなかった場合には上記クラスタ単位で再記録が行え、再生時に有効なデータ読み取りが行えなかった場合には上記クラスタ単位で再読み取りが行える。
【００５３】
ところで、１セクタ（ブロック）は２３５２バイトから成り、先頭から同期用の１２バイト、ヘッダ用の４バイト、及びデータＤ0001〜Ｄ2336となる２３３６バイトが、この順に配列されている。このセクタ構造（ブロック構造）における上記同期用の１２バイトは、最初の１バイトが００Ｈ（Ｈは１６進数を示す）で１０バイトのＦＦＨが続き、最後の１バイトが００Ｈとなっている。次の４バイトのヘッダは、それぞれ１バイトずつの分、秒、ブロックのアドレス部分に続いて、モード情報用の１バイトから成っている。このモード情報は、主としてＣＤ−ＲＯＭのモードを示すためのものであり、図２に示すセクタの内部構造は、ＣＤ−ＲＯＭフォーマットのモード２に相当している。ＣＤ−Ｉは、このモード２を用いた規格である。
【００５４】
図２の具体例では、さらに、圧縮オーディオデータ記録のためのフォーマットを示しており、上記２３３６バイトの領域の先頭から、８バイトのサブヘッダ、各１２８バイトで１８グループのサウンドグループＳＧ０１〜ＳＧ１８、２０バイトのスペース領域、及び４バイトのリザーブ領域の順に配列されている。上記８バイトのサブヘッダは、各１バイトのファイル番号、チャンネル番号、サブモード、及びデータタイプが２回繰り返されて配置されたものである。
【００５５】
ところで、このようなセクタ構造のデータがディスク上に記録される際には、エンコーダ１５によりパリティ付加やインターリーブ処理等を含む符号化処理が施され、ＥＦＭ（8-14変調）処理が施されて、図４に示すような記録フォーマットにて記録が行われる。
【００５６】
この図４において、１ブロック（１セクタ）が第１フレームから第９８フレームまでの９８フレームから成り、１フレームはチャンネルクロック周期Ｔの 588倍(588Ｔ) で、１フレーム内には、２４Ｔ（＋接続ビット３Ｔ）のフレーム同期パターン部分、１４Ｔ（＋接続ビット３Ｔ）のサブコード部分、及び 544Ｔのデータ（オーディオデータ及びパリティデータ）部分が設けられている。 544Ｔのデータ部分は、１２バイト（１２シンボル）のオーディオデータ、４バイトのパリティデータ、１２バイトのオーディオデータ、及び４バイトのパリティデータがいわゆるＥＦＭ変調されたものであり、１フレーム内のオーディオデータは２４バイト（すなわちオーディオサンプルデータの１ワードが１６ビットであるから１２ワード）となっている。上記サブコード部分は８ビットのサブコードデータがＥＦＭ変調されたものであり、９８フレーム単位でブロック化されて、各ビットが８つのサブコードチャンネルＰ〜Ｗを構成している。ただし第１及び第２フレームのサブコード部分は、ＥＦＭ変調の規則外（アウトオヴルール）のブロック同期パターンＳ０，Ｓ１  となっており、各サブコードチャンネルＰ〜Ｗは第３フレームから第９８フレームまでのそれぞれ９６ビットずつとなっている。
【００５７】
上記オーディオデータはインターリーブ処理されて記録されているが、再生時にはデインターリーブ処理されて時間の順序に従ったデータ配列のオーディオデータとされる。このオーディオデータの代わりに、一般のＣＤ−Ｉデータ等を記録することができる。
【００５８】
ところで、上記図１のディスク記録再生装置において、システムコントローラ７は、図５に示すように、メモリ１４のライトポインタＷを上記圧縮データのビットレートに応じた速度で連続的にインクリメントして連続的に書き込み、このメモリ１４内に記憶されている上記圧縮データの未読出データ量が所定量ＭＫ  以上になると、メモリ１４のリードポインタＲを上記標準的なＣＤ−ＤＡフォーマットに準じた転送速度でバースト的にインクリメントして所定の記録単位（例えば３２セクタ分）毎に読み出すようにメモリ制御を行う。従って、メモリ１４内では、上記未読出データを破壊することなく書き込めるデータ量、すなわち記録可能容量が、所定量（ＭＴ−ＭＫ）を下回ることが防止されることになる。
【００５９】
ここで、メモリ１４からバースト的に読み出される記録データは、システムコントローラ７により光磁気ディスク２の記録トラック上の記録位置を制御することによって、光磁気ディスク２の記録トラック上で連続する状態に記録することができる。しかも上述のようにメモリ１４には常に所定量以上のデータ書き込み領域が確保されているので、外乱等によりトラックジャンプ等が発生したことをシステムコントローラ７が検出して光磁気ディスク２に対する記録動作を中断した場合にも、上記所定量以上の上記記録可能な領域に入力データを書き込み続け、その間に復帰処理動作を行うことができ、光磁気ディスク２の記録トラック上には、入力データを連続した状態に記録することができる。
【００６０】
次に、図１のディスク記録再生装置における再生系では、システムコントローラ７は、図６に示すように、メモリ２２のライトポインタＷを標準的なＣＤ−ＤＡフォーマットに準じた転送速度でインクリメントしてバースト的に書き込むとともに、メモリ２２のリードポインタＲを上記圧縮データのビットレートに応じた速度で連続的にインクリメントして読み出し、上記ライトポインタＷが上記リードポインタＲに追い付いた（書込可能領域が０となった）ときに書き込みを停止し、メモリ２２内に記憶されている上記未読出データ量が所定量ＭＬ  以下になると書き込みを行うようにメモリ制御を行う。従って、メモリ２２内に常に所定量ＭＬ  以上の未読出データ量のデータ読み出し領域を確保しながら、再生データを該メモリ２２から連続的に読み出すことができる。
【００６１】
メモリ２２にバースト的に書き込まれる再生データは、システムコントローラ７により光磁気ディスク２の記録トラック上の再生位置を制御することによって、光磁気ディスク２の記録トラック上で連続する状態で再生することができる。しかも、上述のようにメモリ２２には常に所定量ＭＬ  以上のデータ読み出し領域が確保されているので、外乱等によりトラックジャンプ等が発生したことをシステムコントローラ７が検出して光磁気ディスク２に対する再生動作を中断した場合にも、上記所定量ＭＬ  以上のデータ読み出し領域から再生データを読み出してアナログオーディオ信号の出力を継続することができ、その間に復帰処理動作を行うことができる。
【００６２】
ところで、上述したような小径の光磁気ディスク２に圧縮オーディオデータを記録するようなシステムにおいて、記録前の光磁気ディスク２に、予め、いわゆるプリグルーヴをカッティングする際のウォブリング成分の情報として、絶対時間情報を記録しておくこと（ＡＴＩＰ：アブソルートタイムインプリグルーヴ）が考えられており、このＡＴＩＰでの時間情報の入れ方や、いわゆるヘッダタイム部分への時間情報の入れ方等にいくつかのフォーマットが提案されている。しかしながら、上述した小径のディスクシステムにおいては、ディスク上のアドレスやセクタのアドレスを、従来のいわゆるＣＤ等のように時間（分、秒、フレーム）で入れてもあまりメリットがないばかりか、上述したようなリンキング領域を必要とすることから、時間の補正や表示のときは好ましくないのである。そこで例えば、上記表６のように圧縮率を定め、上記図３のように１クラスタ毎に各セクタ番号を割り振っておくとき、実際にオーディオ信号を再生するためのデータ部分は、上記セクタ番号が８ビットの２進数（２桁の１６進数）で、 0000 0000（００Ｈ）〜 0001 1111（１ＦＨ）のセクタのみに記録される。その意味では、アルミニウム反射膜を用いた再生専用ディスクでも光磁気記録媒体膜等を用いた記録可能ディスクでも、同じセクタ番号のセクタデータのみがメモリ２２に送られることから、このセクタ番号に基づいて表示のための処理やトータル時間表示のための処理を行わせれば、処理を共通化できる。なお、実際の演奏時間の表示は、上記圧縮率情報を検出し上記表６の値とセクタ数やクラスタ数との積和を計算して求め、これを表示するようにすればよい。
【００６３】
なお、本発明は上記実施例のみに限定されるものではなく、例えば、記録媒体に記録しておく時間情報は、上記開始時間及び終了時間に限定されず、再生時間や、実際の演奏時間をＵ−ＴＯＣ領域等に書き込んでおくようにしてもよい。また、時間情報や圧縮率情報は、サブコードのＱチャンネル信号を利用する以外に、例えば図２の１セクタ内のヘッダ部分やサブヘッダ部分等に書き込むようにしたり、ディスクのリードイン領域のＵ−ＴＯＣ以外の部分等に書き込むようにしてもよい。
【００６４】
【発明の効果】
以上の説明から明らかなように、本発明に係る記録媒体によれば、圧縮率の異なる複数のデータファイルが記録されるデータ領域と、上記各データファイルに対応するトラック番号情報と上記各データファイルの記録位置を示すアドレス情報と上記各データファイルの圧縮率情報が記録される目録管理領域とを有しているため、この目録管理領域に記録された各データファイルについてのトラック番号情報、記録位置を示すアドレス情報、及び圧縮率情報に基づいて、記録媒体内の全データファイルの総時間情報、特に伸長処理して得られたデータについてのトータルの再生時間情報を算出することができる。
【００６５】
ここで、上記記録媒体として光ディスクを用い、データファイルにディジタルオーディオ信号の１曲分を対応させるとき、１枚の光ディスク内には圧縮率の異なる曲が混在して記録され、各曲毎にアドレスとしての時間情報と圧縮率情報とが記録されている。この場合、アドレスとしての時間情報は、曲の開始時間（スタートタイム）や終了時間（ストップタイム）を示す情報であり、終了時間から開始時間を減算することで当該曲のデータ量としての再生時間を求めることができる。各曲の実際の再生時間（演奏時間）は、各曲のデータ量としての上記再生時間に圧縮率を乗算して求めることができ、各曲の演奏時間の総和をとることで、光ディスク内の全曲の演奏時間を求めることができる。
【図面の簡単な説明】
【図１】本発明に係る記録媒体の一例が用いられるディスク記録再生装置の構成例を示すブロック回路図である。
【図２】記録媒体への記録単位となるクラスタ構造のフォーマットを示す図である。
【図３】図２のクラスタ構造の各セクタの内容を示す図である。
【図４】いわゆるＣＤ（コンパクトディスク）の規格におけるフレーム及びセクタ（ブロック）のフォーマットを示す図である。
【図５】上記ディスク記録再生装置の記録系においてメモリ制御されたメモリの状態を示す図である。
【図６】上記ディスク記録再生装置の再生系においてメモリ制御されたメモリの状態を示す図である。
【符号の説明】
２  光磁気ディスク、  ３  光学ヘッド、  ７  システムコントローラ、  ８キー入力操作部、  ９  表示部、  １３  データ圧縮用エンコーダ、  １４，２２  メモリ、  １５  エンコーダ、  １６  磁気ヘッド駆動回路、  ２１  デコーダ、  ２３  データ伸長用デコーダ
【図１】
0003871554.tif 000008
【図２】
0003871554.tif 000009
【図３】
0003871554.tif 000010
【図４】
0003871554.tif 000011
【図５】
0003871554.tif 000012
【図６】
0003871554.tif 000013